(57)【要約】【課題】  理解できる命令を表現するフォーマットは機種間で異なることがある。そのため、ネットワークで複数の機器が通信可能に接続されていても、命令を入力した機器と機種の異なる機器は、入力された命令を実行することができない。【解決手段】  本発明の情報処理装置は、命令の入力を受け付ける受付手段と、ネットワークで接続された各機器固有フォーマットと、上記ネットワークで接続された機器間において共通する共通フォーマットとで命令を記憶する記憶手段と、上記記憶手段を用いて、上記受付手段に入力が受け付けられた命令のフォーマットを共通フォーマットに変換する変換手段と、上記共通フォーマットに変換された命令を上記ネットワークに接続された機器に送信する送信手段を備える。【選択図】  図４
2006119737.tif 000002
【特許請求の範囲】
【請求項１】
命令の入力を受け付ける受付手段と、
ネットワークで接続された各機器固有フォーマットと、上記ネットワークで接続された機器間において共通する共通フォーマットとで命令を記憶する記憶手段と、
上記記憶手段を用いて、上記受付手段に入力が受け付けられた命令のフォーマットを共通フォーマットに変換する変換手段と、
上記共通フォーマットに変換された命令を上記ネットワークに接続された機器に送信する送信手段を備えたことを特徴とする情報処理装置。
【請求項２】
上記変換手段にて変換された共通フォーマットの命令を編集する編集手段を備え、
上記送信手段は、編集された共通フォーマットの命令を上記ネットワークに接続された機器に送信する請求項１に記載の情報処理装置。
【請求項３】
命令の送信先となる機器を指定する送信先指定手段を備え、
上記送信手段は、指定された機器にのみ共通フォーマットの命令を送信する請求項１に記載の情報処理装置。
【発明の詳細な説明】
【技術分野】
【０００１】
本発明は、ネットワークに接続された各機器が理解できる命令を表すフォーマットが異なっても、所定機器が送信した命令を他の機器が解釈して実行することを実現する情報処理装置に関する。
【背景技術】
【０００２】
近年、ＬＡＮ(Ｌｏｃａｌ  Ａｒｅａ  Ｎｅｔｏｗｏｒｋ)等のネットワークで複数台の電子機器が接続され、これらの機器間でのデータの通信や、ネットワークに接続された他の機器のリモート操作が可能となっている（例えば、特許文献１参照）。
【特許文献１】特開平１０−１３５８０号公報
【発明の開示】
【発明が解決しようとする課題】
【０００３】
しかしながら、ネットワークには様々な種類の機器が接続され、例えば、理解できる命令を表すフォーマットが異なった機器が同じネットワークに接続されることがある。命令の入力に用いられる入力機器と、入力された命令を実行する実行機器が理解できるフォーマットが異なると、命令は正常に実行されない。
【０００４】
そこで、本発明は、入力機器と実行機器が理解できるフォーマットが異なっても、入力機器に入力された命令を実行機器に実行させる情報処理装置を提供することを目的とする。
【課題を解決するための手段】
【０００５】
本発明の情報処理装置は、入力された命令をネットワークに接続された機器間において共通する共通フォーマットに変換する変換手段を備える。これにより、命令の実行が、入力された命令のフォーマットに依存することを防ぎ、どのようなフォーマットで命令が入力されても、ネットワークに接続された各機器において命令が実行できるようにしている。
【発明の効果】
【０００６】
命令が入力される入力機器と命令を実行する実行機器が、理解できる命令を表すフォーマットが異なっても、入力機器に入力された命令をネットワークに接続された機器に共通の共通フォーマットに変換することで、入力された命令を実行機器が実行することができる。
【発明を実施するための最良の形態】
【０００７】
（実施の形態１）
図１に本発明の情報処理装置１００の機能ブロック図を示す。図１に示すように、本発明の情報処理装置１００は、営業部のプリンタ１２０ａ、１２０ｂ、総務部のプリンタ１３０ａ、１３０ｂとＬＡＮ１４０で接続され、情報処理装置１００と各プリンタＰは、互いに通信することができる状態になっている。
【０００８】
上記したようなネットワーク環境において、例えば、全てのプリンタＰが通常のモードで作動しているときに、営業部のプリンタ１２０ａ、１２０ｂのみを省エネモードでの作動に切り替える場合について説明する。省エネモードとは、例えばプリンタのトナーを節約するために、画像を通常のモードで作動しているときよりも薄く印刷するモードである。
【０００９】
本実施の形態では、営業部のプリンタ１２０ａ、１２０ｂのみを省電力モードでの作動に切り替えるための命令をプリンタ１２０ａから入力することとする。プリンタ１２０ａの操作パネル１２１の初期画面は、図２（ａ）に示すような画面となっている。
【００１０】
ユーザは、まず、図２（ａ）に示す初期画面に表示された省エネモードキー１２２を押下する（図３、Ｓ３０１）。
【００１１】
省エネモードキー１２２が押下されると、操作パネル１２１には、図２（ｂ）に示すように、ＬＡＮ１４０に接続されたプリンタを選択するための機器選択画面が表示される。機器選択画面が表示されると、ユーザは、営業部のプリンタ１２０ａ、１２０ｂを選択して、決定キー１２３を押下する（図３、Ｓ３０２）。
【００１２】
決定キー１２３が押下されると、図４に示すプリンタ１２０ａのパネル操作制御手段１２４は、初期画面で押下されたキーの内容を特定する。上記のように、初期画面では省エネモードキー１２２がユーザに押下されているので、本実施の形態では、パネル操作制御１２４は、初期画面で押下されたキーの内容を省エネモードと特定する。
【００１３】
初期画面で押下されたキーの内容を特定すると、操作パネル制御手段１２４は、機器選択画面で選択された機器を特定する。ここでは上記のように、管理部のプリンタ１２０ａ、１２０ｂが選択されているので、ここではパネル操作制御手段１２４は、プリンタ１２０ａ、１２０ｂを特定する。
【００１４】
初期画面で押下されたキーの内容と機器選択画面で選択された機器を特定すると、操作パネル制御手段１２４は、特定した内容と機器を命令作成手段１２５に入力する。
【００１５】
パネル制御手段１２４から内容と機器が入力されると、命令作成手段１２５は、入力されたこれらを基に、プリンタ１２０ａを省エネモードで作動させる命令と、プリンタ１２０ｂを省エネモードで作動させる命令をプリンタ１２０ａ固有の固有フォーマットで作成する（図３、Ｓ３０３）。
【００１６】
命令を作成すると、命令作成手段１２５は、プリンタ１２０ａを省エネモードで作動させる命令をプリンタ１２０ａの命令実行手段１２７に入力し、プリンタ１２０ｂを省エネモードで作動させる命令を送信手段１２６に入力する。
【００１７】
プリンタ１２０ａを省エネモードで作動させる命令が命令作成手段１２５から入力されると、命令実行手段１２７は、プリンタ１２０ａの作動モードを通常のモードから省エネモードに切り替える。
【００１８】
一方、送信手段１２６は、プリンタ１２０ｂを省エネモードで作動させる命令を命令作成手段１２５から入力されると、入力された命令にプリンタ１２０ａの機器識別子を対応付けて情報処理装置１００に送信する（図３、Ｓ３０４）。機器識別子は、ＬＡＮ１４０に接続された機器を識別するための機器固有の識別子である。
【００１９】
送信手段１２６から送信された命令と機器識別子は、情報処理装置１００の受付手段１０１に受け付けられる（図３、Ｓ３０５）。
【００２０】
命令と機器識別子を受け付けると、受付手段１０１は、受け付けた命令と機器識別子を変換手段１０３に入力する。
【００２１】
命令と機器識別子が入力されると、変換手段１０３は、受付手段１０１から入力された命令をＬＡＮ１４０に接続された機器において共通の共通フォーマットに命令を変換する（図３、Ｓ３０６）。命令の変換は、記憶手段１０４に記憶された図５に示す変換ファイル５０１を用いる。
【００２２】
図５に示すように、変換ファイル５０１は、機器識別子５０２と変換テーブル５０３が対応付けられて構成されている。変換テーブル５０３は、対応付けられた機器識別子５０２の機器固有の固有フォーマットで表された命令５０４と、共通フォーマットで表された命令５０５とが対応付けて記述されている。
【００２３】
変換する際には、変換手段１０３は、命令と共に入力された機器識別子と同じ機器識別子が含まれる変換テーブル５０３の固有フォーマットで表された命令５０４の中から、入力された命令と一致する命令を検出して、検出した命令５０４と対応する共通フォーマットで表された命令５０５を特定する。
【００２４】
変換手段１０３は、このように特定した共通フォーマットで表された命令５０５を送信先指定手段１０２と送信手段１０５に入力する。
【００２５】
変換手段１０３から命令が入力されると、送信先指定手段１０２は、命令の送信先を決定する。ここで送信先指定手段１０２に入力される命令は、プリンタ１０２ｂを省エネモードで作動させるという命令であるので、送信先指定手段１０２は命令の送信先として、プリンタ１２０ｂを決定する。送信先指定手段１０２は、送信先を決定すると、送信手段１０５にプリンタ１２０ｂを命令の送信先として通知する。
【００２６】
送信手段１０５は、プリンタ１２０ｂが送信先として通知されると、変換手段１０３から入力された共通フォーマットで表された命令をプリンタ１２０ｂに送信する（図３、Ｓ３０７）。
【００２７】
プリンタ１２０ａは、共通フォーマットで表された命令を受信すると、受信した命令を実行する（図３、Ｓ３０８→Ｓ３０９）。ここで送信される命令は、プリンタ１２０ｂを省エネモードで作動させるという命令であるので、命令が送信されると、１２０ｂは、作動モードを通常モードから省エネモードに切り変える。
【００２８】
以上のように、固有フォーマットで作成された命令は、ネットワーク共通の共通フォーマットに変換されて命令が送信されるので、ネットワークに接続された命令が入力される入力機器と命令を実行する実行機器が、理解できるフォーマットが異なっても、入力機器に入力された命令を実行機器が実行できる。
【００２９】
上記では情報処理装置１００と通信可能に接続された機器をプリンタであると説明したが、情報処理装置１００と通信可能に接続された機器は、プリンタに限らず、スキャナ、複写機、複合機等の画像処理装置やパソコン等ネットワークに接続できる電子機器であればよい。
【００３０】
また、上記ではプリンタ１２０ａから命令を入力する場合に付いて説明したが、命令を入力する機器はプリンタ１２０ａに限らず、ＬＡＮ１４０で接続された機器であればよい。
【００３１】
また、上記ではユーザに命令が入力される入力機器がプリンタ１２０ａであり、情報処理装置１００は入力機器（プリンタ１２０ａ）とＬＡＮ１４０で接続された場合について説明したが、入力機器に情報処理装置を組み込んで、フォーマットの変換を入力機器で行ってもよい。もちろん、情報処理装置を、命令を実行する実行機器に組み込んで、実行機器がフォーマットの変換を行ってもよい。
（実施の形態２）
上記では、情報処理装置１００は、入力された命令を固有フォーマットから共通フォーマットに変換して送信するだけであって、命令の内容の変更は行っていないが、情報処理装置１００が、命令の内容の変更を行うようにしても良い。
【００３２】
例えば、変換手段１０３は、共通フォーマットに命令を変換すると、この共通フォーマットで表された命令を編集手段１０６に入力する。共通フォーマットで表された命令が入力されると、編集手段１０６は、入力された命令を共通フォーマットでモニタ１０７に表示して、モニタ１０７上でユーザが編集できるようにする。編集手段１０７は、編集された命令を変換手段１０３に入力する。変換手段１０３は、入力された命令を送信手段１０５と送信先識別手段１０２に入力する。
【００３３】
また、このように共通フォーマットで命令が表示されることで、ユーザは、固有フォーマットを理解できなくても、共通フォーマットさえ理解できれば編集を行うことができる。
【図面の簡単な説明】
【００３４】
【図１】情報処理装置が接続されたネットワークの概観図。
【図３】命令の入力から実行までの手順を示したフロー図。
【図２】入力機器の操作パネルの模式図。
【図４】本発明の情報処理装置が適用された機能ブロック
【図５】変換ファイルの概念図。
【符号の説明】
【００３５】
１００  情報処理装置
１０１  受付手段
１０２  送信先指定手段
１０３  変換手段
１０４  記憶手段
１０５  送信手段
１０６  編集手段
１２０ａ、１２０ｂ、１３０ａ、１３０ｂ  プリンタ
【図１】
2006119737.tif 000003
【図２】
2006119737.tif 000004
【図３】
2006119737.tif 000005
【図４】
2006119737.tif 000006
【図５】
2006119737.tif 000007